(57)【要約】【課題】ハイヒール用の機能性中敷を提供する。【解決手段】ハイヒールのようにかかとの高い靴に使用される中敷において、基本的な形をなすフレームの上面にポリウレタンを射出してクッション層を形成し、足裏のアーチ部に対応する部分を凸状にしてアーチ支持部を形成し、足指骨と中足骨との間に形成される凹溝に対応する部分には第１突出リブを形成し、第１突出リブとアーチ支持部との間には第２突出リブを形成することによって良い履き心地を提供することを特徴とするハイヒール用の機能性中敷である。【選択図】図４
2009101139.tif 000002
【特許請求の範囲】
【請求項１】
ハイヒールのようにかかとの高い靴に使用される中敷において、
基本的な形をなすフレームの上面にポリウレタンを射出してクッション層を形成し、足裏のアーチ部に対応する部分を凸状にしてアーチ支持部を形成し、足指骨と中足骨との間に形成される凹溝に対応する部分には第１突出リブを形成し、前記第１突出リブと前記アーチ支持部との間には第２突出リブを形成することによって良い履き心地を提供することを特徴とするハイヒール用の機能性中敷。
【請求項２】
前記第１突出リブは、実際凹溝のように「へ」状を有し、前記第２突出リブは、曲がった形状を有することを特徴とする請求項１に記載のハイヒール用の機能性中敷。
【請求項３】
前記アーチ支持部には、左右側面に貫通する一つ以上の貫通孔が形成されることを特徴とする請求項１または請求項２に記載のハイヒール用の機能性中敷。
【請求項４】
前記第１突出リブ及び第２突出リブには、上部から長手方向に陷沒する複数のスロットが形成されることを特徴とする請求項１または請求項２に記載のハイヒール用の機能性中敷。
【請求項５】
前記スロットには、前記突出リブをなす材質より軟質または硬質である異種の材質からなる補助突出リブが結合されることを特徴とする請求項４に記載のハイヒール用の機能性中敷。
【請求項６】
前記アーチ支持部は、前記貫通孔と連結されて、アーチ支持部の上面に開口される空気排出孔が備えられることを特徴とする請求項３に記載のハイヒール用の機能性中敷。
【発明の詳細な説明】
【技術分野】
【０００１】
本発明は、靴に使用される中敷に係り、さらに詳細には、ハイヒールのようにかかとが高く、前足部に荷重が集中する靴に使用される靴用の中敷に関する。
【背景技術】
【０００２】
最近、足を保護する次元を越えて、各種の機能を有したり、特殊な用途に適するように設計される靴が提供されている。代表的には、運動の効果を高める靴、糖尿病の患者に適する靴、特殊な運動に使用される靴などがある。
【０００３】
直立歩行する人間にとって足は、身体の荷重を支える役割を行う以外、足を第２の心臓と呼ぶほど重要な身体部位である。靴の履き心地が悪ければ、疲れを感じやすくなり、それによる多様な疾病が発生する。
【０００４】
特に、女性には、足の変形による問題点が発生しうるが、その理由は、女性は、男性とは異なり、かかとの高いハイヒールのような靴をよく履くためである。ハイヒールのようなかかとの高い靴を履けば、女性の美しさがさらに強調されうるため、多くの若い女性たちはハイヒールを好む。しかし、ハイヒールを履けば、足指がアーチ状に変形するが、これは、重さの中心がハイヒールの前部に集中して、足指が曲がるためである。また、そのような現象が募れば、足指の筋が変形して収縮し、足指の形が正常にならない。そして、ハイヒールを長時間履けば、初期には疲れを早く感じたり、精神集中力が低下する症状を示し、それがひどくなれば、腰痛、関節炎、椎間板ヘルニア（herniated disk）、血液循環系の問題を引き起こす。
【０００５】
ハイヒールを履くこと自体が、一般的な人間の歩行姿勢とは異なるため、前記のような多くの問題点を伴う。足の健康を維持するためには、ヒールの低い靴を履くことが好ましいが、女性にとってハイヒールは、必要悪になっているのが実情である。このような状況から、ハイヒールを履くときに履き心地がよく、足が変形するような問題点を最小化することができる方法が要求される。
【０００６】
すなわち、前足部への荷重の集中を緩和させることができると同時に、積極的に良い履き心地を誘導するように構成されるハイヒールの必要性が高い。ハイヒールを履くにあたって、履き心地を人為的に高めうる方法としては、足裏の湧泉穴を積極的に刺激する方法がある。
【０００７】
湧泉穴は、足裏のアーチ部をなす凹部に該当し、前記湧泉穴を刺激すると、心臓の活動を安定させ、高血圧または腰痛、喘息などにも非常に効果があると知られている。
【０００８】
本発明に関連する従来の技術としては、特許文献１の「足の滑り及び荷重の集中を防止するための靴及び中敷」があり、図１は、前記従来の技術に係る一実施形態を示す斜視図である。図１に示すように、前記従来の技術では、中敷１１は、伸縮可能なシート１３の上面に等間隔で滑り止め用部材１２が複数個形成され、前記滑り止め用部材１２は、靴の幅方向に長く形成される。前記従来の技術では、中敷の上面において足裏が接触する部分に、特別な条件なしに一直線の滑り止め用部材１２が洗濯板状に形成されて、滑りや傾きを防止するように構成される。
【０００９】
特に、平地を歩くときにも前方に荷重が集中するハイヒールのような靴においては、前記従来の技術に記述された滑り止め用部材の正確な位置の選定及び個数が重要であり、歩くときに良い履き心地を誘導するように湧泉穴を刺激することができる方法が要求される。
【００１０】
そして、一般的なハイヒールのような靴に使用される中敷の場合、紙材からなるテクション１と呼ばれるもので薄く全体的に形成し、前記テクション１の下部に鉄心２を中足骨からかかとまで備えることによって靴の外形を維持させる。図２は、概略的な従来のハイヒールに使用される中敷の構成を示す斜視図である。前記鉄心２の下部には、一つの底板３がさらに備えられ、前記テクション１と底板３との間に鉄心２が備えられる。前記底板３も紙材からなる。そのように構成される中敷は、クッション能が全くないため、衝撃が足裏にそのまま伝達されて、足の痛みや疲れ感を感じやすくなる。以下、前記テクション１、鉄心２及び底板３からなる従来のハイヒール用中敷を「フレームｆ」と称す。
【００１１】
ハイヒールのような靴は、その形態的な特異性から、着用者は必然的にひどい痛みや足指の変形のような問題点を経験し、そのような問題点がさらにひどくなれば、手術を受けなければならない場合も発生する。より良い履き心地の提供は、身体全般に対する健康維持に寄与することができるため、それについての研究が持続されねばならず、十分な需要がある限り、無限な可能性を持つ分野であると言えるであろう。
【特許文献１】韓国実用新案出願第２０−２００６−０００５６１５号
【発明の開示】
【発明が解決しようとする課題】
【００１２】
本発明の目的は、ハイヒールのようにかかとの高い靴に使用される中敷であって、フレームの上面にポリウレタンを射出してクッション層を形成し、前記クッション層には、特殊な機能を有するアーチ支持部及び二つの突出リブを形成して、歩行時に積極的に湧泉穴を刺激するようにし、また二つの突出リブによって足裏の位置を決めうる中敷を提供するところにある。
【課題を解決するための手段】
【００１３】
前記課題を解決するために、本発明は、ハイヒールのようにかかとの高い靴に使用される中敷において、基本的な形をなすフレームの上面にポリウレタンを射出してクッション層を形成し、足裏のアーチ部に対応する部分を凸状にしてアーチ支持部を形成し、足指骨と中足骨との間に形成される凹溝に対応する部分には第１突出リブを形成し、前記第１突出リブと前記アーチ支持部との間には第２突出リブを形成することによって良い履き心地を提供することを特徴とするハイヒール用の機能性中敷を提供する。
【００１４】
前記第１突出リブは、実際凹溝のように「へ」状を有し、前記第２突出リブは、曲がった形状を有しうる。
【００１５】
また、前記アーチ支持部には、左右側面に貫通する一つ以上の貫通孔が形成されうる。
【００１６】
さらに、前記第１突出リブ及び第２突出リブには、上部から長手方向に陥没する複数のスロットが形成されうる。
【００１７】
さらに、前記スロットには、前記突出リブをなす材質より軟質または硬質である異種の材質からなる補助突出リブが結合されうる。
【００１８】
さらに、前記アーチ支持部は、前記貫通孔と連結されて、アーチ支持部の上面に開口される空気排出孔が備えられうる。
【発明の効果】
【００１９】
本発明に係る靴用の中敷は、ハイヒールのような靴に適用されて、足裏に加えられる衝撃を緩和させ、湧泉穴を刺激して、より良い履き心地はもとより、身体全般の機能を高め、また足が前方に滑ることによって誘発される足指の変形のような問題点を緩和させることができる。
【００２０】
さらに、空気の循環を誘導して、足の健康や快適さの維持にも寄与することができる。
【発明を実施するための最良の形態】
【００２１】
以下、本発明に係るハイヒール用の機能性中敷（以下、「機能性中敷」と言う）についてさらに詳細に説明する。
【００２２】
特に、注目する事項として、本発明は、前述の従来の技術と異なり、ハイヒールのようなかかとの高い靴に使用される中敷に適用される技術であって、靴の着用時に複合的に履き心地を最大限高めうるように構成されるところに差をつける。そして、図３は、足の構造を示す構造図である。
【実施例１】
【００２３】
本発明に係る機能性中敷を説明するにあたって、好ましい実施形態を示す関連図面を参照する。図４は、第１実施形態に係る機能性中敷の概略的な斜視図であり、図５は、靴の着用時の状態を示す概略的な側面図であり、図６は、機能性中敷がハイヒールに結合された状態を示す斜視図である。
【００２４】
図４ないし図６に示すように、本発明の機能性中敷は、かかとの高いハイヒールのような靴に適用されるものであって、中敷としての基本的な形をなすフレームｆの上面にクッション層１００が形成される。前記クッション層１００は、ポリウレタンのような材質を射出成形することによって形成され、このようなクッション層１００は、そのものに高い弾性があり、衝撃吸収機能を有する。前記フレームｆは、前述の従来の技術のように、従来、ハイヒール用の中敷として使用されている薄くかつ硬い構造物を意味する。
【００２５】
ハイヒールのようにかかとの高い靴は、かかとが高いため、荷重が足指側に集中する傾向があり、それによって多くの問題点が発生する。本発明に係る機能性中敷の場合、そのような問題点に対応するように、通常のフレームｆの上面全体にクッション層１００を備えるが、前記クッション層１００には、特殊な機能を有するアーチ支持部１１０及び二つの突出リブ（第１突出リブ１２０及び第２突出リブ１３０）が備えられる。
【００２６】
前記アーチ支持部１１０は、足裏のアーチ部に存在する湧泉穴を刺激するように備えられるものであって、前記足裏のアーチ部に対応する位置に凸状に形成される。前記アーチ支持部１１０は、足裏のアーチ部と類似するように緩やかな曲率をなして、着用時に足裏のアーチ部とアーチ支持部とが接触する。
【００２７】
そして、前記アーチ支持部１１０より前方に二つの突出リブがさらに備えられるが、前記アーチ支持部１１０から足の前部に向かって第２突出リブ１３０及び第１突出リブ１２０が順次に形成される。前記第１突出リブ１２０及び第２突出リブ１３０は、相互所定間隔で隔離しており、所定の空間を形成する。さらに具体的には、第１突出リブ１２０は、足指骨と中足骨との間に形成される凹溝ｈに対応する位置に形成され、第２突出リブ１３０は、第１突出リブ１２０とアーチ支持部１１０との間に形成される。図４に示すように、本発明に係る機能性中敷を採択した靴を履けば、前記第１突出リブ１２０と第２突出リブ１３０との間に形成される空間に、足裏を構成するアーチ部と前記凹溝との間に凸状に形成される一部の区間が位置し、それによって、足が前方に滑ることを緩和させることができる。また、突出した第１突出リブ１２０及び第２突出リブ１３０は、接触する足裏を指圧する機能を同時に行う。
【００２８】
特に、前記第１突出リブ１２０及び第２突出リブ１３０を構成するにあたって、前記第１突出リブ１２０は、足裏に形成される凹溝の実際の形状と類似した「へ」状に形成されることが好ましく、第２突出リブ１３０は、曲がった形状に形成されることが好ましい。
【００２９】
そして、前記第１突出リブ１２０及び第２突出リブ１３０は、その断面が半円形を有するか、または上端が尖った三角形などの形状を有するように形成されることができる。前記第１突出リブ１２０は、第２突出リブ１３０のような曲がった形状に形成されることも可能である。
【実施例２】
【００３０】
以下、本発明の第２実施形態に係る機能性中敷について説明する。図７は、機能性中敷の概略的な斜視図である。
【００３１】
図７に示すように、第２実施形態は、第１実施形態を基にするが、前記第１突出リブ１２０及び第２突出リブ１３０に複数の陥没したスロットｓが備えられることを特徴とする。前記スロットｓは、上部から陥没して長手方向に形成され、それによって、第１突出リブ１２０及び第２突出リブ１３０は連続的な凹凸を形成する。
【００３２】
さらに好ましくは、前記第１突出リブ１２０及び第２突出リブ１３０に形成されるスロットｓに、異種の材質からなる補助突出リブ１４０をさらに備えることが好ましい。前記補助突出リブ１４０は、第１突出リブ１２０または第２突出リブ１３０と同じ高さに形成されてもよく、場合によっては、補助突出リブ１４０をさらに高く形成してもよい。そして、前記補助突出リブ１４０の材質は、第１突出リブ１２０または第２突出リブ１３０をなす材質とは異なり、さらに硬質なもの、または軟質なものから形成することが好ましい。
【００３３】
前記第１突出リブ１２０及び第２突出リブ１３０に陥没した複数のスロットｓを形成すれば、足裏と接触するときに足裏が滑ることをより確実に緩和させることができ、また指圧の効果も向上させることができる。また、スロットｓを通って通気が行われうるため、足を快適に維持することができる。そして、前記スロットｓに補助突出リブ１４０を備えることによって、材質の差または高さの差による利点を得ることができる。
【実施例３】
【００３４】
本発明の第３実施形態に係る機能性中敷について説明する。図８は、第３実施形態に係る機能性中敷の概略的な斜視図である。
【００３５】
第３実施形態での機能性中敷は、第１実施形態を基にして、前記アーチ支持部１１０に複数の貫通孔１１５を備えることを特徴とする。図８に示すように、クッション層１００に形成されるアーチ支持部１１０は、他の部位より厚く、前記アーチ支持部１１０の左右側面には、一つ以上の貫通孔１１５が備えられるように構成する。
【００３６】
前記貫通孔１１５は、円形または楕円形の断面を有するように構成されうるが、それらに制限されるものではなく、多様な断面の形状を有しうる。そして、前記アーチ支持部１１０の左右側面には、一つの貫通孔１１５が形成されてもよく、小さなサイズの貫通孔１１５が複数個形成されてもよい。
【００３７】
本発明での機能性中敷は、ポリウレタンからなるクッション層１００によって衝撃吸収機能を有するが、それに加え、アーチ支持部１１０に貫通孔１１５を備えることによって緩衝効果をさらに高めることができる。もちろん、前記アーチ支持部１１０は足裏と接触するため、湧泉穴を刺激することができる。
【００３８】
第３実施形態に係る機能性中敷を構成するにあたってさらに好ましくは、前記アーチ支持部１１０に左右貫通する貫通孔１１５を備えるが、前記貫通孔１１５から前記アーチ支持部１１０の上面に開口される複数の空気排出孔１１６を備える。前記アーチ支持部１１０に備えられる貫通孔１１５は、着地時には荷重を受けて収縮してポンピング機能を行うことができる。したがって、前記アーチ支持部１１０の上面と貫通孔１１５とを連結する空気排出孔１１６を備えることによって、貫通孔１１５に存在する空気が空気排出孔１１６を通じて足裏に排出されうるため、空気循環機能を提供することができる。
【産業上の利用可能性】
【００３９】
本発明に係る機能性中敷は、かかとの高い女性用ハイヒールのような靴に適用されて、より良い履き心地を提供することができ、足の変形のような問題点を緩和させうるため、かかとの高いハイヒール類、サンダル類などに利用される可能性が非常に高い。
【図面の簡単な説明】
【００４０】
【図１】従来の技術に係る靴用の中敷及び靴を示す斜視図である。
【図２】従来のハイヒールに使用される中敷の構成を示す斜視図である。
【図３】足の構造を示す構造図である。
【図４】本発明の第１実施形態に係る機能性中敷の概略的な斜視図である。
【図５】靴の着用時の状態を示す概略的な側面図である。
【図６】機能性中敷がハイヒールに結合された状態を示す斜視図である。
【図７】第２実施形態に係る機能性中敷の斜視図である。
【図８】第３実施形態に係る機能性中敷の斜視図である。
【符号の説明】
【００４１】
１００  クッション層
ｆ      フレーム
１１０  アーチ支持部
１１５  貫通孔
１１６  空気排出孔
１２０  第１突出リブ
１３０  第２突出リブ
１４０  補助突出リブ
ｓ      スロット
【図１】
2009101139.tif 000003
【図２】
2009101139.tif 000004
【図３】
2009101139.tif 000005
【図４】
2009101139.tif 000006
【図５】
2009101139.tif 000007
【図６】
2009101139.tif 000008
【図７】
2009101139.tif 000009
【図８】
2009101139.tif 000010
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
ハイヒールのようにかかとの高い靴に使用される中敷において、
基本的な形をなすフレームの上面にポリウレタンを射出してクッション層を形成し、足裏のアーチ部に対応する部分を凸状にしてアーチ支持部を形成し、足指骨と中足骨との間に形成される凹溝に対応する部分には中敷を横断するように第１突出リブを形成し、前記第１突出リブと前記アーチ支持部との間には中敷を横断するように第２突出リブを形成することによって良い履き心地を提供し、
前記第１突出リブと前記第２突出リブとの間に空間が形成され、前記空間により足が前方に滑るのを防止することを特徴とするハイヒール用の機能性中敷。
【請求項２】
前記第１突出リブは、凹溝のように「へ」状を有し、前記第２突出リブは、曲線形状を有することを特徴とする請求項１に記載のハイヒール用の機能性中敷。
【請求項３】
前記アーチ支持部には、左右側面に貫通する一つ以上の貫通孔が形成されることを特徴とする請求項１または請求項２に記載のハイヒール用の機能性中敷。
【請求項４】
前記第１突出リブ及び第２突出リブには、前記第１突出リブ及び第２突出リブの表面を陥没させた複数のスロットが中敷の長手方向に形成されることを特徴とする請求項１または請求項２に記載のハイヒール用の機能性中敷。
【請求項５】
前記スロットには、前記突出リブをなす材質より軟質または硬質である異種の材料からなる補助突出リブが結合されることを特徴とする請求項４に記載のハイヒール用の機能性中敷。
【請求項６】
前記アーチ支持部は、前記貫通孔と連結されて、アーチ支持部の上面に開口される空気排出孔が備えられことを特徴とする請求項３に記載のハイヒール用の機能性中敷。